(57)【要約】【課題】基準画像の読み取りを高速化し、読み取られた基準画像から正確な評価を可能とする評価データを作成する。【解決手段】画像形成装置は、用紙上に画像を形成する画像形成部と、画像形成部により用紙上に形成された画像を読み取る読取部と、画像形成部により画質評価用の基準画像を形成させ（ステップＳ１）、読取部により当該基準画像を画像形成時よりも低い解像度で読み取らせ（ステップＳ２）、読み取られた基準画像を用いて、読み取られた基準画像よりも高解像度化された基準画像の読取値を得て、当該読取値により評価データを作成する（ステップＳ３及びＳ４）制御部と、を備える。【選択図】図３
2014211587.tif 000002
【特許請求の範囲】
【請求項１】
用紙上に画像を形成する画像形成部と、
前記画像形成部により用紙上に形成された画像を読み取る読取部と、
前記画像形成部により画質評価用の基準画像を形成させ、前記読取部により当該基準画像を画像形成時よりも低い解像度で読み取らせ、読み取られた基準画像を用いて、当該読み取られた基準画像よりも高解像度化された基準画像の読取値を得て、当該読取値により評価データを作成する制御部と、
を備える画像形成装置。
【請求項２】
前記制御部は、前記画像形成部により形成位置をシフトさせて、形成位置が異なる複数の前記基準画像を形成させ、前記読取部により読み取られた各基準画像の読取値を各基準画像のシフト量に応じて合成し、合成後の読取値により前記評価データを作成する、
請求項１に記載の画像形成装置。
【請求項３】
前記基準画像は、線画像であり、
前記制御部は、前記画像形成部により形成位置を前記線画像の線幅方向にシフトさせて、形成位置が異なる複数の前記線画像を形成させ、各線画像の読取値を各線画像のシフト量に応じて並べて合成し、合成後の読取値により前記評価データを作成する、
請求項１又は２に記載の画像形成装置。
【請求項４】
前記制御部は、合成後の読取値を平滑化処理して、前記評価データを作成する、
請求項２又は３に記載の画像形成装置。
【請求項５】
画質評価用の基準画像を用紙上に形成する画像形成工程と、
前記用紙上に形成された基準画像を、当該基準画像よりも低い解像度で読み取る読取工程と、
前記読み取られた基準画像を用いて、当該読み取られた基準画像よりも高解像度化された基準画像の読取値を得て、当該読取値により評価データを作成する作成工程と、
を含む評価データの作成方法。
【請求項６】
形成位置をシフトして、形成位置が異なる複数の画質評価用の基準画像を用紙上に形成する画像形成工程と、
前記用紙上に形成された各基準画像を、当該基準画像の形成時よりも低い解像度で読み取る読取工程と、
前記読み取られた各基準画像の読取値を各基準画像のシフト量に応じて合成し、合成後の読取値により評価データを作成する作成工程と、
を含む評価データの作成方法。
【発明の詳細な説明】
【技術分野】
【０００１】
本発明は、画像形成装置及び評価データの作成方法に関する。
【背景技術】
【０００２】
電子写真方式の画像形成装置は、画質を安定させるため、用紙上に基準画像を形成して読み取り、読み取られた基準画像を解析して画質の評価を行っている。
用紙の搬送経路上に設けられた読取部により基準画像を読み取る場合、画像形成の高速化にともなって、基準画像の読み取りも高速化が求められている。
読み取りを高速化するための１つの手段として、読取時の解像度を低解像度とすることが考えられる。しかし、画像形成時よりも低い解像度で読み取りを行う場合、線の再現性のように高解像度の基準画像でなければ、正確な評価が難しい評価項目もある。
【０００３】
従来、低解像度の読取部であっても、読取位置を細かくシフトさせて読み取ることにより、１画素あたりの読取値を増やして高解像度の読取画像を得る方法が提案されている（例えば、特許文献１参照）。
同様の観点から、基準画像を傾斜させて読み取る方法も提案されている（例えば、特許文献２参照）。
【先行技術文献】
【特許文献】
【０００４】
【特許文献１】特開平６−１６４８４９号公報
【特許文献２】特開平６−１８６０００号公報
【発明の概要】
【発明が解決しようとする課題】
【０００５】
しかしながら、読取位置をシフトさせて読み取る場合、読み取りの頻度が増えるため、読み取りの高速化に対応することができない。また、読取位置を高精度にシフトさせることは難しく、読取位置のずれが生じると、読取値の信頼性が低くなる。
一方、基準画像を傾斜させて読み取る場合、基準画像が形成された用紙を読取時に傾斜させる必要がある。用紙を傾斜させると、用紙の皺やカール等の変形が生じやすく、かえって読取精度が低下することがある。
【０００６】
本発明の課題は、基準画像の読み取りを高速化し、読み取られた基準画像から正確な画質の評価を可能とする評価データを作成することである。
【課題を解決するための手段】
【０００７】
請求項１に記載の発明によれば、
用紙上に画像を形成する画像形成部と、
前記画像形成部により用紙上に形成された画像を読み取る読取部と、
前記画像形成部により画質評価用の基準画像を形成させ、前記読取部により当該基準画像を画像形成時よりも低い解像度で読み取らせ、読み取られた基準画像を用いて、当該読み取られた基準画像よりも高解像度化された基準画像の読取値を得て、当該読取値により評価データを作成する制御部と、
を備える画像形成装置が提供される。
【０００８】
請求項２に記載の発明によれば、
前記制御部は、前記画像形成部により形成位置をシフトさせて、形成位置が異なる複数の前記基準画像を形成させ、前記読取部により読み取られた各基準画像の読取値を各基準画像のシフト量に応じて合成し、合成後の読取値により前記評価データを作成する、
請求項１に記載の画像形成装置が提供される。
【０００９】
請求項３に記載の発明によれば、
前記基準画像は、線画像であり、
前記制御部は、前記画像形成部により形成位置を前記線画像の線幅方向にシフトさせて、形成位置が異なる複数の前記線画像を形成させ、各線画像の読取値を各線画像のシフト量に応じて並べて合成し、合成後の読取値により前記評価データを作成する、
請求項１又は２に記載の画像形成装置が提供される。
【００１０】
請求項４に記載の発明によれば、
前記制御部は、合成後の読取値を平滑化処理して、前記評価データを作成する、
請求項２又は３に記載の画像形成装置が提供される。
【００１１】
請求項５に記載の発明によれば、
画質評価用の基準画像を用紙上に形成する画像形成工程と、
前記用紙上に形成された基準画像を、当該基準画像よりも低い解像度で読み取る読取工程と、
前記読み取られた基準画像を用いて、当該読み取られた基準画像よりも高解像度化された基準画像の読取値を得て、当該読取値により評価データを作成する作成工程と、
を含む評価データの作成方法が提供される。
【００１２】
請求項６に記載の発明によれば、
形成位置をシフトして、形成位置が異なる複数の画質評価用の基準画像を用紙上に形成する画像形成工程と、
前記用紙上に形成された各基準画像を、当該基準画像の形成時よりも低い解像度で読み取る読取工程と、
前記読み取られた各基準画像の読取値を各基準画像のシフト量に応じて合成し、合成後の読取値により評価データを作成する作成工程と、
を含む評価データの作成方法が提供される。
【発明の効果】
【００１３】
本発明によれば、読取時の解像度を形成時よりも低くすることができ、基準画像の読み取りを高速化することができる。また、読み取られた基準画像よりも高解像度化された基準画像の読取値により評価データを作成することができ、当該評価データにより正確な画質の評価が可能となる。
【図面の簡単な説明】
【００１４】
【図１】本実施の形態に係る画像形成装置の概略構成図である。
【図２】図１の本体ユニットの機能ブロック図である。
【図３】本実施の形態の画像形成装置が、評価データを作成する際の処理手順を表すフローチャートである。
【図４ａ】基準画像として、形成位置がシフトされて形成された４つの線画像の例を示している。
【図４ｂ】図４ａの各線画像を読み取って得られた各線画像を示している。
【図５】１画素ずつ形成位置がシフトされて形成された３つの線画像と、それぞれを読み取って得られた線画像とを示す図である。
【図６】線画像の読取値を、主走査方向及び副走査方向の読取位置ごとに示す表である。
【図７ａ】４つの線画像のそれぞれの読取値の強度分布を示すグラフである。
【図７ｂ】評価データにより得られる読取値の強度分布を示すグラフである。
【図８】平滑化処理の前後それぞれの読取値の強度分布を示すグラフである。
【図９】評価データを解析して決定された線幅を示すグラフである。
【発明を実施するための形態】
【００１５】
以下、本発明の画像形成装置及び評価データの作成方法の実施の形態について、図面を参照して説明する。
【００１６】
図１は、本実施の形態に係る画像形成装置Ｇの概略構成を示す。
図１に示すように、画像形成装置Ｇは、プリントコントローラーｇ１、給紙ユニットｇ２、本体ユニットｇ３及び後処理装置ｇ４を備えている。
【００１７】
プリントコントローラーｇ１は、ネットワーク上のコンピューター端末からＰＤＬ（Page Description Language）データを受信し、当該ＰＤＬデータをラスタライズ処理してビットマップ形式の画像データを生成する。
プリントコントローラーｇ１は、Ｃ（シアン）、Ｍ（マジェンタ）、Ｙ（イエロー）及びＫ（黒）の色ごとに画像データを生成し、本体ユニットｇ３に出力する。
【００１８】
給紙ユニットｇ２は、大容量の給紙トレイを複数備えている。
給紙ユニットｇ２は、本体ユニットｇ３により指示された給紙トレイから本体ユニットｇ３へ用紙を搬送する。
【００１９】
本体ユニットｇ３は、操作部３、表示部４、スキャナー６、画像形成部８、給紙トレイｇ３１、読取部９、給紙トレイｇ３１等を備えている。
本体ユニットｇ３は、スキャナー６により原稿を読み取って得られた画像データか、又はプリントコントローラーｇ１により生成された画像データに基づき、画像形成部８により用紙上に画像を形成する。本体ユニットｇ３は、画像形成された用紙を後処理装置ｇ４へ搬送する。
【００２０】
後処理装置ｇ４は、本体ユニットｇ３から搬送された用紙を後処理して排紙する。後処理としては、例えばステイプル処理、パンチ穴開け処理、折り処理、製本処理等が挙げられる。後処理は必須ではなく、後処理装置ｇ４は、本体ユニットｇ３から指示された場合のみ実行する。後処理が無い場合、後処理装置ｇ４は搬送された用紙をそのまま排紙する。
【００２１】
図２は、本体ユニットｇ３の機能ブロック図である。
図２に示すように、本体ユニットｇ３は、制御部１、記憶部２、操作部３、表示部４、通信部５、スキャナー６、画像処理装置７、画像形成部８及び読取部９を備えて構成されている。
【００２２】
制御部１は、ＣＰＵ（Central Processing Unit）、ＲＡＭ（Random Access Memory）等を備えている。制御部１は、記憶部２に記憶されているプログラムを読み出し、当該プログラムに従って画像形成装置Ｇの各部を制御する。
例えば、制御部１は、ジョブの設定に従い、給紙ユニットｇ２又は給紙トレイｇ３１により用紙を給紙させる。また、制御部１は、画像処理装置７により画像データを補正及び画像処理させて、画像形成部８により画像を形成させる。ジョブの設定に後処理の設定が含まれる場合、制御部１は後処理装置ｇ４に指示して後処理させる。
【００２３】
制御部１は、画質の評価に利用できる評価データを作成することができる。
制御部１は、評価データの作成時、画像形成部８により画質評価用の基準画像を形成させ、読取部９により当該基準画像を画像形成時よりも低い解像度で読み取らせる。
制御部１は、読取部９により読み取られた基準画像を用いて、読み取られた基準画像よりも高解像度化された基準画像の読取値を得て、当該読取値により評価データを作成する。
【００２４】
記憶部２は、制御部１が読み取り可能なプログラム、ファイル等を記憶している。記憶部２としては、例えばハードディスク、ＲＯＭ（Read Only Memory）等の記憶媒体を用いることができる。
記憶部２は、画質の評価に用いられる基準画像を記憶している。
【００２５】
操作部３は、操作キーや表示部４と一体に構成されたタッチパネル等を備え、これらの操作に応じた操作信号を制御部１に出力する。ユーザーは、操作部３により、ジョブの設定、処理内容の変更等の指示を入力することができる。
表示部４は、ＬＣＤ（Liquid crystal display）等であることができ、制御部１の指示に従って操作画面等を表示する。
通信部５は、制御部１からの指示に従い、ネットワーク上のコンピューター、例えばサーバー又は他の画像形成装置と通信する。
【００２６】
スキャナー６は、原稿の画像を読み取って、Ｒ（赤）、Ｇ（緑）及びＢ（青）の色ごとの画像データを生成し、画像処理装置７に出力する。
【００２７】
画像処理装置７は、スキャナー６又はプリントコントローラーｇ１から入力された画像データを補正し、画像処理を施して、画像形成部８に出力する。
画像処理装置７は、図２に示すように、色変換部７１、階調補正部７２及び中間調処理部７３を備えている。
【００２８】
色変換部７１は、スキャナー６から出力されたＲ、Ｇ及びＢの各色の画像データを色変換処理し、Ｃ、Ｍ、Ｙ及びＫの各色の画像データを出力する。
色変換部７１は、色補正のため、プリントコントローラーｇ１から出力されたＣ、Ｍ、Ｙ及びＫの各色の画像データを色変換処理し、色補正されたＣ、Ｍ、Ｙ及びＫの各色の画像データを出力することもできる。
【００２９】
階調補正部７２は、色変換部７１又はプリントコントローラーｇ１から出力された画像データを階調補正処理する。
階調補正部７２は、階調補正処理時、形成される画像の階調特性が目標の階調特性に一致するように、各階調値に対応する補正値が定められたＬＵＴを用いる。階調補正部７２は、当該ＬＵＴから、画像データの各画素の階調値に対応する補正値を得て、補正値からなる画像データを出力する。
【００３０】
中間調処理部７３は、階調補正部７２から出力された画像データを中間調処理する。中間調処理は、例えばディザマトリクスを用いたスクリーン処理、誤差拡散処理等である。
中間調処理部７３は、中間調処理後の画像データを画像形成部８に出力する。
【００３１】
画像形成部８は、画像処理装置７から出力された画像データに基づき、用紙上に画像を形成する。
画像形成部８は、図１に示すように、Ｃ、Ｍ、Ｙ及びＫの色ごとに、露光部８１、感光体８２及び現像部８３を、４セット備えている。また、画像形成部８は、中間転写ベルト８４、２次転写ローラー８５、定着装置８６及び反転機構８７を備えている。
【００３２】
露光部８１は発光素子としてＬＥＤ（Light Emitting Diode）を備えている。露光部８１は、画像データに基づいてＬＥＤを駆動し、帯電する感光体８２上にレーザー光を照射して露光する。現像部８３は、現像ローラーにより感光体８２上にトナーを供給し、露光により感光体８２上に形成された静電潜像をトナーで現像する。
このようにして４つの感光体８２上に各色のトナーで形成された画像は、各感光体８２から中間転写ベルト８４上に順次重ねて転写され、中間転写ベルト８４上にカラー画像が形成される。中間転写ベルト８４は、無端ベルトであり、複数のローラーに巻き回されて回動している。２次転写ローラー８５は、中間転写ベルト８４上のカラー画像を、給紙ユニットｇ２又は給紙トレイｇ３１から給紙された用紙上に転写する。定着装置８６は転写後の用紙を加熱及び加圧して定着処理する。
【００３３】
画像形成部８は、用紙の両面に画像を形成する場合、反転機構８７により用紙の表裏を反転させ、もう一方の片面に対して画像を形成する。反転機構８７は、通過する用紙の表裏を反転させて２次転写ローラー８５による転写位置へと再度用紙を搬送する搬送経路を有している。
【００３４】
読取部９は、画像形成部８により用紙上に形成された画像を読み取る。
読取部９としては、読取部９が読み取り可能な最大の解像度が、画像形成部８が形成できる最大の解像度よりも低い読取部を用いる。読取部の具体例としては、カラーラインセンサー等が挙げられる。
読取部９は、図１に示すように、用紙の搬送経路において、定着装置８６より搬送方向下流に配置することができる。
【００３５】
図３は、上記画像形成装置Ｇが評価データを作成する際の処理手順を示している。
画質の評価対象としては、線の再現性、画像の周波数特性、画像の粒状性等が挙げられ、評価データの作成には、評価対象によって異なる基準画像が用いられる。
以下、基準画像として線画像を形成し、線の再現性の評価データを作成する場合の処理手順を説明する。
【００３６】
図３に示すように、画像形成装置Ｇでは、制御部１が、画像形成部８により線画像の形成位置を線幅方向へシフトさせて、形成位置が異なる複数の線画像を用紙上に形成させる（ステップＳ１）。また、制御部１は、読取部９により、用紙上に形成された各線画像を画像形成時よりも低い解像度で読み取らせる（ステップＳ２）。
制御部１は、各線画像のシフト量を、読取時の解像度の１画素幅よりも小さく設定する。例えば、１２００dpiで線画像を形成させ、４００dpiで当該線画像を読み取らせる場合、制御部１は、シフト量を１２００dpiの１画素単位又は２画素単位で決定することができる。
【００３７】
図４ａは、形成位置がシフトされて形成された、４つの線画像Ｌａ、Ｌｂ、Ｌｃ及びＬｄの例を示している。
各線画像Ｌａ〜Ｌｄは、線幅及び階調値が同じ線画像であり、主走査方向ｘを線幅方向とする副走査方向ｙに長い縦線の線画像である。各線画像Ｌａ〜Ｌｄは、矢印で表すシフト位置において線幅方向に所定量ずつシフトされて、１２００dpiの解像度で形成されている。
なお、各線画像Ｌａ〜Ｌｄは、図４ａに示すように連続して形成される必要はなく、間隔を空けて形成されていてもよい。
また、形成される線画像は、副走査方向ｙを線幅方向とする主走査方向ｘに長い横線の線画像であってもよい。
【００３８】
図４ｂは、図４ａの各線画像Ｌａ、Ｌｂ、Ｌｃ及びＬｄが、それぞれ４００dpiの解像度で読み取られた場合の線画像Ｌ＊ａ、Ｌ＊ｂ、Ｌ＊ｃ及びＬ＊ｄを示している。
読み取られた各線画像Ｌ＊ａ〜Ｌ＊ｄから、４００dpiの１画素あたり、シフト方向すなわち線幅方向に異なる位置で読み取られた４つの読取値を得ることができる。
【００３９】
図５は、１２００dpiの解像度で、１画素ずつ形成位置がシフトされて形成された線画像ｆ０１、ｆ１１及びｆ２１を示している。各線画像ｆ０１、ｆ１１及びｆ２１は、いずれも線幅が６画素、階調値が１００％の線画像である。
線画像ｆ０２、ｆ１２及びｆ２２は、線画像ｆ０１、ｆ１１及びｆ２１がそれぞれ４００dpiの解像度で読み取られた線画像である。
【００４０】
線画像ｆ０１はシフト量が０画素であり、読取後の線画像ｆ０２は、線画像ｆ０１と線幅及び階調値が同じである。
一方、線画像ｆ１１及びｆ２１は、シフトによって線画像ｆ０１の形成位置からそれぞれ１及び２画素ずれている。そのため、読取後の線画像ｆ１２及びｆ２２は、各線画像ｆ１１及びｆ２１よりも線幅が太っている。また、線画像ｆ１２及び線画像ｆ２２は、線幅方向の一端の階調値が１／３減り、他端の階調値が２／３減っている。
このように、高解像度の画素単位でずれた複数の画像を低解像度で読み取ると、読取位置を高解像度の画素単位でシフトさせて読み取った場合と同様に、各読取画像から、１画素あたり、複数の読取値を得ることができる。読取画像をシフト方向において擬似的に高解像度化することが可能である。線画像の場合、線幅方向に高解像度が求められるので、線幅方向にシフトしたが、他の評価対象の場合、高解像化したい方向に基準画像をシフトして形成すればよい。
【００４１】
制御部１は、読み取られた各線画像Ｌ＊ａ〜Ｌ＊ｄのうち、図４ｂに示す読取領域ｒ内の読取値を取得する。制御部１は、得られた読取値を線幅方向の読取位置ごとに平均する（ステップＳ３）。
線の再現性は輝度成分の影響が大きいことから、制御部１は、各線画像Ｌ＊ａ〜Ｌ＊ｄの読取値から輝度成分を抽出し、当該輝度成分を読取値として以降の処理に使用することが好ましい。
読取値が、Ｒ、Ｇ及びＢの信号値である場合、制御部１はＲ、Ｇ及びＢの各信号値ＤＲ、ＤＧ及びＤＢから、下記式により輝度成分ＤＹを算出することができる。
ＤＹ＝０．２９９ＤＲ＋０．５８７ＤＧ＋０．１１４ＤＢ
【００４２】
図６は、線画像Ｌ＊ａの読取値を主走査方向及び副走査方向の読取位置ごとに示している。
線画像Ｌ＊ａの線幅方向は主走査方向ｘと同じあるので、制御部１は、図６に示すように線画像Ｌ＊ａの各読取値を主走査方向の読取位置ごとに平均して、平均値を得る。同様にして、制御部１は、他の線画像Ｌ＊ｂ〜Ｌ＊ｄについても、線幅方向の読取位置ごとに読取値を平均する。
【００４３】
次に、制御部１は、各線画像Ｌ＊ａ〜Ｌ＊ｄから得られた平均後の読取値を、各線画像Ｌａ〜Ｌｄのシフト量に応じて合成し、合成後の読取値により評価データを作成する（ステップＳ４）。
具体的には、制御部１は、形成時のシフト量が小さい順に、各線画像Ｌ＊ａ〜Ｌ＊ｄの平均後の読取値を繰り返し並べ、並べられた各読取値を合成して評価データを得る。
各線画像Ｌ＊ａ〜Ｌ＊ｄは、線画像Ｌ＊ａ、Ｌ＊ｂ、Ｌ＊ｃ、Ｌ＊ｄの順に、形成時のシフト量が小さい。よって、制御部１は、各線画像Ｌ＊ａ〜Ｌ＊ｄの線幅方向の各読取位置１〜１０画素目における読取値の平均値を、線画像Ｌ＊ａの１画素目、線画像Ｌ＊ｂの１画素目、線画像Ｌ＊ｃの１画素目、線画像Ｌ＊ｄの１画素目、線画像Ｌ＊ａの２画素目、線画像Ｌ＊ｂの２画素目というように、線画像Ｌ＊ａ、Ｌ＊ｂ、Ｌ＊ｃ、Ｌ＊ｄの順に繰り返し並べて、合成する。
【００４４】
線画像Ｌ＊ａ〜Ｌ＊ｄごとに、線幅方向の各読取位置における平均後の読取値をプロットすると、図７ａに示す強度分布が得られる。
読取時の解像度が低いため、各読取値は離散値となり、図７ａに示すようにいずれもガタツキが多い強度分布となる。
また、線画像Ｌ＊ａ〜Ｌ＊ｄによって強度分布がばらついていることから、いずれか１つの線画像Ｌ＊ａ〜Ｌ＊ｄのみでは、読取位置がずれるとずれ量が４００dpiの１画素未満であっても、得られる強度分布がばらつくことも分かる。強度分布がばらつくと、強度分布を用いた評価結果にもばらつきが生じ、評価の信頼性が低くなる。
【００４５】
一方、上述のように、４つの線画像Ｌ＊ａ〜Ｌ＊ｄの読取値を合成すると、４００dpiの１画素につき、異なる４つの読取位置における読取値が得られる。すなわち、４００dpiの各線画像Ｌ＊ａ〜Ｌ＊ｄから、４倍の１６００dpiに高解像度化された線画像の読取値が得られることになる。
合成後の読取値により作成された評価データからは、図７ｂに示すような強度分布が得られる。図７ｂに示すように、評価データにより得られる強度分布は、図７ａに示す各線画像Ｌ＊ａ〜Ｌ＊ｄの強度分布よりガタツキが少ない。線の再現性の評価時、評価データにより得られる強度分布により線幅が決定されるが、このようにガタツキが少ない強度分布において線幅を決定することにより、正確な線幅の測定が可能となる。
【００４６】
制御部１は、合成後の読取値を平滑化処理して、評価データを作成することもできる。
平滑化処理としては、合成後の読取値を移動平均処理すること等が挙げられる。
図７ｂに示す合成後の読取値からなる強度分布は、平滑化処理によって、図８に示すようにノイズが除去され、より滑らかな強度分布を得ることができる。
【００４７】
制御部１は、作成された評価データを解析することにより、線の再現性の評価が可能である。
例えば、図９に示すように、評価データにより得られる強度分布において、制御部１は読取値の最大強度を０％、最小強度を１００％として、強度が２５％となる２つの読取値を求め、各読取値の読取位置間の距離を線幅ｄ２５として決定することができる。線幅ｄ２５を、線画像Ｌａ〜Ｌｄの線幅の基準値と比較することにより、線幅の太りを評価することができる。
【００４８】
以上のように、本実施の形態によれば、画像形成装置Ｇは、用紙上に画像を形成する画像形成部８と、画像形成部８により用紙上に形成された画像を読み取る読取部９と、画像形成部８により画質評価用の基準画像を形成させ、読取部９により当該基準画像を画像形成時よりも低い解像度で読み取らせ、読み取られた基準画像を用いて、読み取られた基準画像よりも高解像度化された基準画像の読取値を得て、当該読取値により評価データを作成する制御部１と、を備える。
また、基準画像は線画像であり、制御部１は、画像形成部８により形成位置を線画像の線幅方向にシフトさせて、形成位置が異なる複数の線画像を形成させ、各線画像の読取値を各線画像のシフト量に応じて並べて合成し、合成後の読取値により評価データを作成する。
【００４９】
これにより、読取時の解像度を形成時よりも低くすることができ、基準画像の読み取りを高速化することができる。また、読み取られた基準画像よりも高解像度化された基準画像の読取値により評価データを作成することができ、当該評価データにより正確な画質の評価が可能となる。
【００５０】
〔他の実施の形態〕
他の実施の形態によれば、画像形成装置は、画像形成部により１つの基準画像を形成し、読取部により読み取られた当該線画像の各読取値を補間演算することにより、読み取られた基準画像よりも高解像度化された基準画像の読取値を得て、当該読取値により評価データを作成することもできる。補間演算としては、バイキュービック法、スプライン補間、多項式補間等の一般的な補間演算を用いることができる。
【００５１】
他の実施の形態の画像形成装置は、上記画像形成装置Ｇの処理手順を変えることにより実現することができる。
例えば、制御部１は、画像形成部８により図４ａに示す線画像Ｌａを１２００dpiで形成させ、当該線画像Ｌａを読取部９により４００dpiで読み取らせる。制御部１は、読み取られた線画像Ｌ＊ａを線幅方向の読取位置ごとに平均し、平均後の読取値を補間演算して各読取値間に３つの読取値を挿入する。これにより、線幅方向において１６００dpiに高解像度化された線画像の読取値が得られる。制御部１は、挿入により得られた各読取値を合成し、合成後の読取値により評価データを作成する。上述したように、合成後の読取値を平滑化処理して評価データを作成してもよい。
【００５２】
上記実施の形態は本発明の好適な一例であり、これに限定されない。本発明の主旨を逸脱しない範囲で適宜変更可能である。
例えば、制御部１により実行されるプログラムのコンピューター読み取り可能な媒体としては、ＲＯＭ、フラッシュメモリー等の不揮発性メモリー、ＣＤ-ＲＯＭ等の可搬型記録媒体を適用することが可能である。当該プログラムのデータを、通信回線を介して提供する媒体として、キャリアウエーブ(搬送波)も適用される。
【符号の説明】
【００５３】
Ｇ    画像形成装置
ｇ３    本体部
１    制御部
８    画像形成部
９    読取部
【図１】
2014211587.tif 000003
【図２】
2014211587.tif 000004
【図３】
2014211587.tif 000005
【図４ａ】
2014211587.tif 000006
【図５】
2014211587.tif 000007
【図６】
2014211587.tif 000008
【図７ａ】
2014211587.tif 000009
【図７ｂ】
2014211587.tif 000010
【図８】
2014211587.tif 000011
【図９】
2014211587.tif 000012
【図４ｂ】
2014211587.tif 000013